(57)【要約】【課題】  低コストでＳ／Ｎの悪化を防止して高性能化を図る。【解決手段】  種類の異なる複数のディスク状記録媒体１００ａ、１００ｂへ向けて該各ディスク状記録媒体に対応した異なる波長のレーザー光を各別に出射する複数の発光素子９、１０と、レーザー光の進行方向に応じて該レーザー光を反射し又は透過するビームスプリッター１６と、上記複数の発光素子から出射された波長の異なる全てのレーザー光を受光する受光素子２２（２３）とを設け、ビームスプリッターの出射面１６ｂから受光素子までのレーザー光の光路中に、レーザー光の波長に応じて透過率が異なる波長選択性透過膜２４（２５）を設けて各発光素子から出射されるレーザー光の波長の長さによらず受光素子の出力を略一定にした。【選択図】  図２
2005216342.tif 000002
【特許請求の範囲】
【請求項１】
ディスクテーブルに装着されるディスク状記録媒体の半径方向へ移動する移動ベースと該移動ベースに配置された対物レンズ駆動装置とを備え、種類の異なる複数のディスク状記録媒体へ向けて該各ディスク状記録媒体に対応した異なる波長を有する複数のレーザー光を出射し、種類の異なる各ディスク状記録媒体に対する情報信号の記録及び再生を行う光ピックアップであって、
種類の異なる複数のディスク状記録媒体へ向けて該各ディスク状記録媒体に対応した異なる波長のレーザー光を各別に出射する複数の発光素子と、
レーザー光の進行方向に応じて該レーザー光を反射し又は透過するビームスプリッターと、
上記複数の発光素子から出射された波長の異なる全てのレーザー光を受光する受光素子とを備え、
ビームスプリッターの出射面から受光素子までのレーザー光の光路中に、レーザー光の波長に応じて透過率が異なる波長選択性透過膜を設け、
各発光素子から出射されるレーザー光の波長の長さによらず受光素子の出力を略一定にした
ことを特徴とする光ピックアップ。
【請求項２】
上記受光素子として、ディスク状記録媒体で反射されたレーザ光の戻り光を受光してディスク状記録媒体に記録された信号の検出を行う信号検出用受光素子と、各発光素子のレーザー光の出力を監視するモニター用受光素子とを設け、
信号検出用受光素子とモニター用受光素子とをビームスプリッターの出射面側に配置し、
ビームスプリッターから信号検出用受光素子までのレーザー光の光路とビームスプリッターからモニター用受光素子までのレーザー光の光路とを各別に設定し、
上記波長選択性透過膜をビームスプリッターの出射面に設けた
ことを特徴とする請求項１に記載の光ピックアップ。
【請求項３】
種類の異なる複数のディスク状記録媒体が各別に装着されて回転されるディスクテーブルと、ディスク状記録媒体の半径方向へ移動される移動ベース上に配置された対物レンズ駆動装置を有しディスク状記録媒体の種類に対応して異なる波長を有する複数のレーザー光を出射し種類の異なる各ディスク状記録媒体に対する情報信号の記録及び再生を行う光ピックアップとを備えたディスクドライブ装置であって、
上記光ピックアップは、
種類の異なる複数のディスク状記録媒体へ向けて該各ディスク状記録媒体に対応した異なる波長のレーザー光を各別に出射する複数の発光素子と、
レーザー光の進行方向に応じて該レーザー光を反射し又は透過するビームスプリッターと、
上記複数の発光素子から出射された波長の異なる全てのレーザー光を受光する受光素子とを備え、
ビームスプリッターの出射面から受光素子までのレーザー光の光路中に、レーザー光の波長に応じて透過率が異なる波長選択性透過膜を設け、
各発光素子から出射されるレーザー光の波長の長さによらず受光素子の出力を略一定にした
ことを特徴とするディスクドライブ装置。
【請求項４】
上記受光素子として、ディスク状記録媒体で反射されたレーザ光の戻り光を受光してディスク状記録媒体に記録された信号の検出を行う信号検出用受光素子と、各発光素子のレーザー光の出力を監視するモニター用受光素子とを設け、
信号検出用受光素子とモニター用受光素子とをビームスプリッターの出射面側に配置し、
ビームスプリッターから信号検出用受光素子までのレーザー光の光路とビームスプリッターからモニター用受光素子までのレーザー光の光路とを各別に設定し、
上記波長選択性透過膜をビームスプリッターの出射面に設けた
ことを特徴とする請求項３に記載のディスクドライブ装置。
【発明の詳細な説明】
【技術分野】
【０００１】
本発明は光ピックアップ及びディスクドライブ装置についての技術分野に関する。詳しくは、種類の異なるディスク状記録媒体に対して情報信号の記録及び再生を行う光ピックアップ及びディスクドライブ装置における高性能化を図る技術分野に関する。
【背景技術】
【０００２】
ディスク状記録媒体に対する情報信号の記録及び再生を行うディスクドライブ装置があり、このようなディスクドライブ装置は、ディスク状記録媒体に対して対物レンズを介してレーザー光を照射して情報信号の記録又は再生を行う光ピックアップを備えている。
【０００３】
近年、ディスク状記録媒体は、記録密度等の相違により種々のタイプが開発されており、このようなディスク状記録媒体として、例えば、レーザー光の使用波長が７８５ｎｍ付近であるＣＤ（Compact Disc）、使用波長が６６０ｎｍ付近であるＤＶＤ（Digital Versatile Disc）、使用波長が４０５ｎｍ付近であるＢｌｕ−ｒａｙディスク等が存在する。
【０００４】
上記のような使用波長が異なる複数の種類のディスク状記録媒体に対して情報信号の記録及び再生を１つの光ピックアップを用いて行うディスクドライブ装置があり、このようなディスクドライブ装置に設けられた光ピックアップには、コストの低減等を目的として１つの受光素子によって各発光素子から出射された波長の異なる各レーザー光を受光するものがある。受光素子の種類としては、ディスク状記録媒体で反射されたレーザ光の戻り光を受光してディスク状記録媒体に記録された信号の検出を行う信号検出用受光素子と、各発光素子のレーザー光の出力を監視するモニター用受光素子とがある。
【０００５】
ところで、異なる波長のレーザー光を用いてディスク状記録媒体に対して情報信号の記録を行う場合には、ディスク状記録媒体の種類によって発光素子から出射され情報信号の記録に必要とされるレーザー光のパワーが異なる。従って、記録するディスク状記録媒体に応じて受光素子に入射されるレーザー光の光量に差が生じ、図６に示す信号検出用受光素子についてのデーター及び図７に示すモニター用受光素子についてのデーターに示すように、受光素子の出力が発光素子から出射されるレーザー光の波長によって相違する。
【０００６】
ところが、上記のような受光素子が共通化されたタイプの光ピックアップにあっては、受光素子の共通化により、その最大出力が受光素子のダイナミックレンジ（最大信号レベルと最小信号レベルの差）内に収まるように設定する必要があるため、パワーの小さい側のレーザー光の出射時にはＳ／Ｎ（信号成分とノイズ成分の比）が悪化して信号の品質に悪影響を与えるおそれがある。
【０００７】
そこで、受光素子が共通化されたタイプの従来の光ピックアップには、Ｓ／Ｎの悪化を防止するために、ディスク状記録媒体の種類に応じて受光素子のゲイン（利得）を切り替えるようにしたものがある（例えば、特許文献１参照）。
【０００８】
【特許文献１】特開２０００−２５１３００号公報
【発明の開示】
【発明が解決しようとする課題】
【０００９】
ところが、上記した従来の光ピックアップのように、Ｓ／Ｎの悪化を防止するために受光素子のゲインを切り替えるようにした場合には、ゲインの切替のための切替回路やそのための配線等が必要となり、その分、コストが高くなり、光ピックアップが複雑なものとなってしまうという問題がある。
【００１０】
そこで、本発明光ピックアップ及びディスクドライブ装置は、上記した問題点を克服し、低コストでＳ／Ｎの悪化を防止して高性能化を図ることを課題とする。
【課題を解決するための手段】
【００１１】
本発明光ピックアップ及びディスクドライブ装置は、上記した課題を解決するために、種類の異なる複数のディスク状記録媒体へ向けて該各ディスク状記録媒体に対応した異なる波長のレーザー光を各別に出射する複数の発光素子と、レーザー光の進行方向に応じて該レーザー光を反射し又は透過するビームスプリッターと、上記複数の発光素子から出射された波長の異なる全てのレーザー光を受光する受光素子とを設け、ビームスプリッターの出射面から受光素子までのレーザー光の光路中に、レーザー光の波長に応じて透過率が異なる波長選択性透過膜を設けて各発光素子から出射されるレーザー光の波長の長さによらず受光素子の出力を略一定にしたものである。
【００１２】
従って、本発明光ピックアップ及びディスクドライブ装置にあっては、波長選択性透過膜に入射されたレーザー光の透過量が波長に応じて変化する。
【発明の効果】
【００１３】
本発明光ピックアップは、ディスクテーブルに装着されるディスク状記録媒体の半径方向へ移動する移動ベースと該移動ベースに配置された対物レンズ駆動装置とを備え、種類の異なる複数のディスク状記録媒体へ向けて該各ディスク状記録媒体に対応した異なる波長を有する複数のレーザー光を出射し、種類の異なる各ディスク状記録媒体に対する情報信号の記録及び再生を行う光ピックアップであって、種類の異なる複数のディスク状記録媒体へ向けて該各ディスク状記録媒体に対応した異なる波長のレーザー光を各別に出射する複数の発光素子と、レーザー光の進行方向に応じて該レーザー光を反射し又は透過するビームスプリッターと、上記複数の発光素子から出射された波長の異なる全てのレーザー光を受光する受光素子とを備え、ビームスプリッターの出射面から受光素子までのレーザー光の光路中に、レーザー光の波長に応じて透過率が異なる波長選択性透過膜を設け、各発光素子から出射されるレーザー光の波長の長さによらず受光素子の出力を略一定にしたことを特徴とする。
【００１４】
従って、受光素子のゲインを切り替えてＳ／Ｎの悪化を防止しようとしたときのようにゲインの切替回路やそのための配線等を設ける必要がなく、コストの高騰や光ピックアップの複雑化を来たすことなく、Ｓ／Ｎの悪化の防止及びダイナミックレンジの十分な確保による光ピックアップの高性能化を図ることができる。
【００１５】
また、Ｓ／Ｎの悪化の防止等を図る手段として、厚みの薄い波長選択性透過膜を用いているため、光学系の光路が長くならず、光ピックアップの薄型化を図ることができる。
【００１６】
さらに、波長選択性透過膜が光学系の光路における復路上に配置されるため、波長選択性透過膜を光学系の光路における往路上に配置したときのような記録時のディスク状記録媒体へ向かう光量の減少という不具合を来たすおそれがなく、ディスク状記録媒体に対する情報信号の記録時における動作の信頼性の向上を図ることができる。
【００１７】
請求項２に記載した発明にあっては、上記受光素子として、ディスク状記録媒体で反射されたレーザ光の戻り光を受光してディスク状記録媒体に記録された信号の検出を行う信号検出用受光素子と、各発光素子のレーザー光の出力を監視するモニター用受光素子とを設け、信号検出用受光素子とモニター用受光素子とをビームスプリッターの出射面側に配置し、ビームスプリッターから信号検出用受光素子までのレーザー光の光路とビームスプリッターからモニター用受光素子までのレーザー光の光路とを各別に設定し、上記波長選択性透過膜をビームスプリッターの出射面に設けたので、波長選択性透過膜が信号検出用受光素子とモニター用受光素子に共通の波長選択性透過膜として機能し、部品点数の削減によるコストの低減を図ることができる。
【００１８】
本発明ディスクドライブ装置は、種類の異なる複数のディスク状記録媒体が各別に装着されて回転されるディスクテーブルと、ディスク状記録媒体の半径方向へ移動される移動ベース上に配置された対物レンズ駆動装置を有しディスク状記録媒体の種類に対応して異なる波長を有する複数のレーザー光を出射し種類の異なる各ディスク状記録媒体に対する情報信号の記録及び再生を行う光ピックアップとを備えたディスクドライブ装置であって、上記光ピックアップは、種類の異なる複数のディスク状記録媒体へ向けて該各ディスク状記録媒体に対応した異なる波長のレーザー光を各別に出射する複数の発光素子と、レーザー光の進行方向に応じて該レーザー光を反射し又は透過するビームスプリッターと、上記複数の発光素子から出射された波長の異なる全てのレーザー光を受光する受光素子とを備え、ビームスプリッターの出射面から受光素子までのレーザー光の光路中に、レーザー光の波長に応じて透過率が異なる波長選択性透過膜を設け、各発光素子から出射されるレーザー光の波長の長さによらず受光素子の出力を略一定にしたことを特徴とする。
【００１９】
従って、受光素子のゲインを切り替えてＳ／Ｎの悪化を防止しようとしたときのようにゲインの切替回路やそのための配線等を設ける必要がなく、コストの高騰や光ピックアップの複雑化を来たすことなく、Ｓ／Ｎの悪化の防止及びダイナミックレンジの十分な確保によるディスクドライブ装置の高性能化を図ることができる。
【００２０】
また、Ｓ／Ｎの悪化の防止等を図る手段として、厚みの薄い波長選択性透過膜を用いているため、光学系の光路が長くならず、ディスクドライブ装置の薄型化を図ることができる。
【００２１】
さらに、波長選択性透過膜が光学系の光路における復路上に配置されるため、波長選択性透過膜を光学系の光路における往路上に配置したときのような記録時のディスク状記録媒体へ向かう光量の減少という不具合を来たすおそれがなく、ディスク状記録媒体に対する情報信号の記録時における動作の信頼性の向上を図ることができる。
【００２２】
請求項４に記載した発明にあっては、上記受光素子として、ディスク状記録媒体で反射されたレーザ光の戻り光を受光してディスク状記録媒体に記録された信号の検出を行う信号検出用受光素子と、各発光素子のレーザー光の出力を監視するモニター用受光素子とを設け、信号検出用受光素子とモニター用受光素子とをビームスプリッターの出射面側に配置し、ビームスプリッターから信号検出用受光素子までのレーザー光の光路とビームスプリッターからモニター用受光素子までのレーザー光の光路とを各別に設定し、上記波長選択性透過膜をビームスプリッターの出射面に設けたので、波長選択性透過膜が信号検出用受光素子とモニター用受光素子に共通の波長選択性透過膜として機能し、部品点数の削減によるコストの低減を図ることができる。
【発明を実施するための最良の形態】
【００２３】
以下に、本発明光ピックアップ及びディスクドライブ装置の最良の形態を添付図面に従って説明する。
【００２４】
ディスクドライブ装置１は、外筐２内に所要の各部材及び各機構が配置されて成り（図１参照）、外筐２には図示しないディスク挿入口が形成されている。
【００２５】
外筐２内には図示しないシャーシが配置され、該シャーシに取り付けられたスピンドルモーターのモーター軸にディスクテーブル３が固定されている。
【００２６】
シャーシには、平行なガイド軸４、４が取り付けられると共に図示しない送りモーターによって回転されるリードスクリュー５が支持されている。
【００２７】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されるディスク状記録媒体１００の半径方向へ移動される。
【００２８】
ディスク状記録媒体１００としては、例えば、ＤＶＤ１００ａとＣＤ１００ｂが用いられる。
【００２９】
以上のようにして構成されたディスクドライブ装置１において、スピンドルモーターの回転に伴ってディスクテーブル３が回転されると、該ディスクテーブル３に装着されたディスク状記録媒体１００、即ち、ＤＶＤ１００ａ又はＣＤ１００ｂが回転され、同時に、光ピックアップ６がディスク状記録媒体１００の半径方向へ移動されてディスク状記録媒体１００に対する記録動作又は再生動作が行われる。
【００３０】
光ピックアップ６は、図２に示すように、例えば、第１の発光素子９、第２の発光素子１０、第１のカップリングレンズ１１、第２のカップリングレンズ１２、第１の回折素子１３、第２の回折素子１４、光路合成素子１５、ビームスプリッター１６、立ち上げミラー１７、コリメーターレンズ１８、１／４波長板１９、対物レンズ２０、マルチレンズ２１、信号検出用受光素子２２及びモニター用受光素子２３を備え、対物レンズ２０以外は移動ベース７に配置され、対物レンズ２０は対物レンズ駆動装置８に設けられている。
【００３１】
第１の発光素子９としては、例えば、約６６０ｎｍの波長を有するレーザ光を出射する半導体レーザーが用いられ、第２の発光素子１０としては、例えば、約７８５ｎｍの波長を有するレーザ光を出射する半導体レーザーが用いられている。尚、ディスク状記録媒体１００として、例えば、Ｂｌｕ―ｒａｙディスクが用いられる場合には、約４０５ｎｍの波長を有するレーザー光が出射される発光素子が用いられる。
【００３２】
第１のカップリングレンズ１１と第２のカップリングレンズ１２は、それぞれ第１の発光素子９と第２の発光素子１０から出射されたレーザー光の往路における光学倍率の変換を行う機能を有する。
【００３３】
第１の回折素子１３と第２の回折素子１４は、それぞれ第１の発光素子９と第２の発光素子１０から出射されたレーザー光を回折して、主光束と副光束とに分離する機能を有する。
【００３４】
光路合成素子１５は、例えば、波長選択性のあるミラー面１５ａを有するビームスプリッターであり、第１の発光素子９から出射された約６６０ｎｍの波長を有するレーザ光がミラー面１５ａで反射され、第２の発光素子１０から出射された約７８５ｎｍの波長を有するレーザ光がミラー面１５ａを透過される。従って、光路合成素子１５によって第１の発光素子９から出射されたレーザー光と第２の発光素子１０から出射されたレーザー光の光路が一致される。
【００３５】
ビームスプリッター１６はガラス等の平板状の部材を基材として形成され、例えば、レーザー光の入射面１６ａに半透過ミラーコーティングが施されている。ビームスプリッター１６においては、光路合成素子１５を介して入射面１６ａに入射されたレーザー光の一部の光束が透過されてモニター用受光素子２３へ向かい、透過されなかった他の光束が反射されて立ち上げミラー１７へ向かう。
【００３６】
立ち上げミラー１７は入射されたレーザー光を略９０°反射する機能を有する。
【００３７】
コリメーターレンズ１８は、入射されたレーザー光の光束を平行光束とする機能を有する。
【００３８】
１／４波長板１９は、直線偏光と円偏光との変換を行う機能を有する。
【００３９】
対物レンズ２０は入射されたレーザー光をディスク状記録媒体１００の記録面に集光する機能を有する。
【００４０】
マルチレンズ２１は、第１の発光素子９と第２の発光素子１０から出射されたレーザー光の復路における光学倍率の変換を行うと共に信号検出用受光素子２２にレーザー光を集光する機能を有する。
【００４１】
信号検出用受光素子２２とモニター用受光素子２３には、それぞれ波長選択性透過膜２４と波長選択性透過膜２５とが設けられている。波長選択性透過膜２４、２５は、例えば、信号検出用受光素子２２とモニター用受光素子２３の筐体（パッケージ）の表面（入射面）に設けられている。信号検出用受光素子２２及びモニター用受光素子２３の筐体の表面は通常平面に形成されているため、波長選択性透過膜２４、２５を容易に設けることができる。
【００４２】
波長選択性透過膜２４、２５は波長選択性を有し、レーザー光の波長に応じて入射されたレーザー光の透過率を変更する機能を有する。波長選択性透過膜２４、２５は、波長６６０ｎｍ付近の波長の短いレーザー光に対しては透過率が高く、波長７８５ｎｍ付近の波長の長いレーザー光に対しては透過率が低くなるように形成されている。例えば、波長６６０ｎｍ付近においては、ＤＶＤ１００ａの高倍速の記録時の十分なＳ／Ｎを確保することができる透過率とされ、波長７８５ｎｍ付近においては、ＣＤ１００ｂの高倍速の記録時の信号検出用受光素子２２のダイナミックレンジが十分に確保され信号検出用受光素子２２及びモニター用受光素子２３の飽和が生じないような透過率とされている。
【００４３】
以下に、各波長における波長選択性透過膜の透過率を設定する方法について説明する。
【００４４】
波長の異なるレーザー光を出射する複数の発光素子が備えられている場合に、各発光素子から出射されるレーザー光をそれぞれＸ１、Ｘ２、Ｘ３、・・・、Ｘｎとする。このとき、波長選択性透過膜が設けられていない場合において、波長Ｘ１のレーザー光が出射されたときに受光素子の出力が最も大きいとし、この受光素子の出力を１とする。波長Ｘ２における出力をα２とし、波長Ｘ３における出力をα３とし、以下同様にして、波長Ｘｎにおける出力をαｎとし、１＞α１＞α２＞α３、・・・、＞αｎとする。
【００４５】
波長選択性透過膜の透過率を波長Ｘｎにおいて１００％とする。他の波長Ｘ１、Ｘ２、Ｘ３、・・・における透過率βｋは、
βｋ＝１÷（αｋ÷αｎ）×１００（％）
によって算出する。但し、ｋ＝１、２、３、・・・、ｎ−１である。
【００４６】
例えば、光ピックアップに３つの発光素子が設けられている場合を考え、３つの発光素子からは、それぞれ波長４０５ｎｍ、６６０ｎｍ及び７８５ｎｍの波長のレーザー光が出射されるとする。このとき波長選択性透過膜が設けられていない場合において、波長４０５ｎｍのレーザー光が出射されたときの受光素子の出力が最も小さく、波長７８５ｎｍのレーザー光が出射されたときの受光素子の出力が最も大きいとし、受光素子の出力は、波長７８５ｎｍにおいて１、波長６６０ｎｍにおいて０．５、波長４０５ｎｍにおいて０．２５とする。
【００４７】
以上の条件に基づいて、上式により各波長における波長選択性透過膜の透過率を算出する。
【００４８】
波長４０５ｎｍにおける透過率は１００％、波長６６０ｎｍにおける透過率は、１÷（０．５÷０．２５）×１００＝５０％、波長７８５ｎｍにおける透過率は、１÷（１÷０．２５）×１００＝２５％と算出される（図３参照）。
【００４９】
尚、光ピックアップ６のように第１の発光素子９と第２の発光素子１０の２つの発光素子が設けられている場合にも、上記と同様にして波長選択性透過膜２４、２５の透過率を設定すればよく、例えば、波長７８５ｎｍにおける透過率が波長６６０ｎｍにおける透過率の２分の１になるように波長選択性透過膜２４、２５の透過率を設定すればよい。
【００５０】
このようにして算出された透過率を有する波長選択性透過膜を信号検出用受光素子２２又はモニター用受光素子２３に設けることにより、各波長における信号検出用受光素子２２又はモニター用受光素子２３の記録時の最大出力及び記録時の出力が略等しくなる（図４参照）。
【００５１】
以上のように構成された光ピックアップ６において、第１の発光素子９から第１の波長（約６６０ｎｍ）を有するレーザー光が出射されると、レーザー光は第１のカップリングレンズ１１から第１の回折素子１３へ向かい該第１の回折素子１３によって主光束と副光束とに分離されて光路合成素子１５に入射される。光路合成素子１５に入射されたレーザー光はミラー面１５ａで反射され、続いて、一部がビームスプリッター１６を透過されてモニター用受光素子２３で受光される。ビームスプリッター１６を透過しなかった光束は入射面１６ａで反射され、立ち上げミラー１７で反射されてコリメーターレンズ１８によって平行光束とされ、１／４波長板１９及び対物レンズ２０を介してディスクテーブル３に装着されたＤＶＤ１００ａの記録面に集光される。ＤＶＤ１００ａの記録面に集光されたレーザー光は、該記録面で反射されて戻り光として再び対物レンズ２０、１／４波長板１９、コリメーターレンズ１８及び立ち上げミラー１７を介してビームスプリッター１６に入射される。ビームスプリッター１６に入射された戻り光は、ビームスプリッター１６を透過され、その出射面１６ｂから出射されマルチレンズ２１を介して信号検出用受光素子２２に入射され、光電変換されて、例えば、ＤＶＤ１００ａに記録された情報信号の再生が行われる。
【００５２】
一方、第２の発光素子１０から第２の波長（約７８５ｎｍ）を有するレーザー光が出射されると、レーザー光は第２のカップリングレンズ１２から第２の回折素子１４へ向かい該第２の回折素子１４によって主光束と副光束とに分離されて光路合成素子１５に入射される。光路合成素子１５に入射されたレーザー光はミラー面１５ａを透過され、続いて、一部がビームスプリッター１６を透過されてモニター用受光素子２３で受光される。ビームスプリッター１６を透過しなかった光束は入射面１６ａで反射され、立ち上げミラー１７で反射されてコリメーターレンズ１８によって平行光束とされ、１／４波長板１９及び対物レンズ２０を介してディスクテーブル３に装着されたＣＤ１００ｂの記録面に集光される。ＣＤ１００ｂの記録面に集光されたレーザー光は、該記録面で反射されて戻り光として再び対物レンズ２０、１／４波長板１９、コリメーターレンズ１８及び立ち上げミラー１７を介してビームスプリッター１６に入射される。ビームスプリッター１６に入射された戻り光は、ビームスプリッター１６を透過され、その出射面１６ｂから出射されマルチレンズ２１を介して信号検出用受光素子２２に入射され、光電変換されて、例えば、ＣＤ１００ｂに記録された情報信号の再生が行われる。
【００５３】
第１の発光素子９及び第２の発光素子１０からそれぞれ出射されモニター用受光素子２３で受光されたレーザ光は、その光量が検出され、検出された光量に基づいて第１の発光素子９及び第２の発光素子１０の出力がそれぞれ常時一定となるように制御される。
【００５４】
以上に記載した通り、ディスクドライブ装置１にあっては、信号検出用受光素子２２とモニター用受光素子２３にそれぞれレーザー光の波長に応じて透過率が異なる波長選択性透過膜２４、２５を設け、第１の発光素子９及び第２の発光素子１０から出射されるレーザー光の波長の長さによらず信号検出用受光素子２２及びモニター用受光素子２３の出力を略一定にしているため、受光素子のゲインを切り替えてＳ／Ｎの悪化を防止しようとしたときのようにゲインの切替回路やそのための配線等を設ける必要がなく、コストの高騰や光ピックアップの複雑化を来たすことなく、Ｓ／Ｎの悪化の防止及びダイナミックレンジの十分な確保による光ピックアップ６の高性能化を図ることができる。
【００５５】
また、Ｓ／Ｎの悪化の防止等を図る手段として、薄膜状の波長選択性透過膜２４、２５を用いているため、光学系の光路が長くならず、光ピックアップ６の薄型化を確保することができる。
【００５６】
上記には、信号検出用受光素子２２とモニター用受光素子２３にそれぞれ波長選択性透過膜２４とモニター用受光素子２５を設けた例を示したが、波長選択性透過膜はビームスプリッター１６の出射面１６ｂから信号検出用受光素子２２又はモニター用受光素子２３までのレーザー光の光路中に設ければよく、例えば、図５に示すように、波長選択性透過膜２６をビームスプリッター１６の出射面１６ｂに設けてもよい。
【００５７】
このように、ビームスプリッター１６の出射面１６ｂに波長選択性透過膜２６を設けることにより、波長選択性透過膜２６が信号検出用受光素子２２とモニター用受光素子２３に共通の波長選択性透過膜として機能し、部品点数の削減によるコストの低減を図ることができる。
【００５８】
尚、波長選択性透過膜をレーザー光の光路における往路、即ち、第１の発光素子９又は第２の発光素子１０からディスク状記録媒体１００までの光路上に配置した場合には、出射されたレーザー光の波長によっては波長選択性透過膜によってディスク状記録媒体１００へ向かう光量が減少しディスク状記録媒体１００に対する情報信号の記録時における必要な光量が確保されなくなるおそれがあるが、上記のように、波長選択性透過膜２４、２５、２６をビームスプリッター１６の出射面１６ｂから信号検出用受光素子２２又はモニター用受光素子２３までのレーザー光の復路中に設けることにより、記録時における光量の減少という不具合を来たすことがなく、ディスク状記録媒体１００に対する情報信号の記録時における動作の信頼性の向上を図ることができる。
【００５９】
上記には、ＤＶＤ１００ａとＣＤ１００ｂの２種類のディスク状記録媒体１００を使用するディスクドライブ装置１を例として示したが、ディスク状記録媒体１００の種類はＤＶＤ１００ａとＣＤ１００ｂに限られることはなく、Ｂｌｕ−ｒａｙディスク等の他のディスクであってもよい。
【００６０】
また、本発明は、使用波長の異なる２種類のディスク状記録媒体１００が使用されるディスクドライブ装置及びこれに設けられた光ピックアップに適用できる他、使用波長の異なる３種類以上のディスク状記録媒体１００が使用されるディスクドライブ装置及びこれに設けられた光ピックアップに適用することもできる。
【００６１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６２】
【図１】図２乃至図５と共に本発明を実施するための最良の形態を示すものであり、本図はディスクドライブ装置の概略斜視図である。
【図２】光ピックアップの構成を示す概念図である。
【図３】レーザー光の波長と波長選択性透過膜の透過率との関係を示すグラフ図である。
【図４】受光素子の出力を示すグラフ図である。
【図５】ビームスプリッターの出射面に波長選択性透過膜が設けられた光ピックアップの構成を示す概念図である。
【図６】従来の光ピックアップにおける信号検出用受光素子の出力を示すグラフ図である。
【図７】従来の光ピックアップにおけるモニター用受光素子の出力を示すグラフ図である。
【符号の説明】
【００６３】
１００…ディスク状記録媒体、１…ディスクドライブ装置、３…ディスクテーブル、６…光ピックアップ、７…移動ベース、８…対物レンズ駆動装置、９…第１の発光素子、１０…第２の発光素子、１６…ビームスプリッター、１６ｂ…出射面、２２…信号検出用受光素子、２３…モニター用受光素子、２４…波長選択性透過膜、２５…波長選択性透過膜、２６…波長選択性透過膜
【図１】
2005216342.tif 000003
【図２】
2005216342.tif 000004
【図３】
2005216342.tif 000005
【図４】
2005216342.tif 000006
【図５】
2005216342.tif 000007
【図６】
2005216342.tif 000008
【図７】
2005216342.tif 000009